(57)【要約】【課題】  信頼性を向上し得る可搬型情報端末装置及び情報提供システムを提案する。【解決手段】  血管撮像部２０から出力される血管画像信号Ｓ１０に基づく血管画像から血管に相当する部分を抽出し、この血管部分を用いた照合処理と並列的に、当該血管部分に基づいて３つの健康状態指標（体脂肪率、脈拍及び血管幅）を検出し、この検出結果を表示部１１に表示するようにした。この場合、血管部分だけに着目した健康状態指標を検出できるため、実際の血管径（体積）の状態に反映する正確性の高い健康状態指標を通知することができ、かくして信頼性を向上することができる。【選択図】        図１０
2006051279.tif 000002
【特許請求の範囲】
【請求項１】
健康状態の自己管理を補助する可搬型情報端末装置において、
生体の血管を撮像する撮像手段と、
上記撮像手段により撮像された血管画像から血管部分を抽出する血管抽出手段と、
上記血管抽出手段により抽出された上記血管部分に基づいて上記生体における健康状態指標を検出する健康状態指標検出手段と、
上記健康状態判断指標を通知する通知手段と
を具えることを特徴とする可搬型情報端末装置。
【請求項２】
上記健康状態指標検出手段は、
上記血管抽出手段により抽出された上記血管部分に基づいて上記生体における２以上の健康状態指標を検出する
ことを特徴とする請求項１に記載の可搬型情報端末装置。
【請求項３】
上記血管部分から認証情報を抽出し、当該抽出した認証情報に基づいて認証する認証手段を具え、
上記健康状態指標検出手段は、
上記認証手段での認証結果に応じて、当該検出した上記健康状態指標を記憶手段に記憶し、
上記通知手段は、
上記記憶手段に記憶された上記健康状態判断指標を通知する
ことを特徴とする請求項１に記載の可搬型情報端末装置。
【請求項４】
上記健康状態指標検出手段は、
上記血管抽出手段により抽出された上記血管部分における面積の時間変化に基づいて上記生体における脈拍を検出する
ことを特徴とする請求項１に記載の可搬型情報端末装置。
【請求項５】
上記健康状態指標検出手段は、
上記血管抽出手段により抽出された上記血管部分の輝度状態に基づいて上記生体における体脂肪率を検出する
ことを特徴とする請求項１に記載の可搬型情報端末装置。
【請求項６】
上記健康状態指標検出手段により検出された上記健康状態指標の時間変化及び又は上記健康状態指標と対応する正常範囲との比較に基づいて、上記生体における健康状態の度合いを判定する健康状態判定手段を具え、
上記通知手段は、
上記健康状態判断指標及び又は上記健康状態の度合いを通知する
ことを特徴とする請求項１に記載の可搬型情報端末装置。
【請求項７】
上記健康状態指標検出手段は、
上記血管抽出手段により抽出された上記血管部分に基づいて上記生体における２以上の健康状態指標を検出し、
上記健康状態指標検出手段により検出された２以上の上記健康状態指標に基づいて、健康状態の度合いを判定する健康状態判定手段を具え、
上記通知手段は、
上記健康状態判断指標及び又は上記健康状態の度合いを通知する
ことを特徴とする請求項１に記載の可搬型情報端末装置。
【請求項８】
上記健康状態指標検出手段により検出された上記健康状態指標の時間変化又は上記健康状態指標と対応する正常範囲との比較に基づいて、健康状態の度合いを判定する健康状態判定手段と、
健康を内容とする情報を管理する管理サーバと通信する通信手段と
を具え、
上記健康状態判定手段は、
上記健康状態判定手段により判定された上記健康状態の度合いを上記管理サーバに送信し、当該応答として管理サーバから返信される上記健康状態の度合いに対応する上記情報を受信するように上記通信手段を制御する
を具えることを特徴とする請求項１に記載の可搬型情報端末装置。
【請求項９】
健康状態の自己管理を補助する可搬型情報端末装置と、健康を内容とする情報を管理する管理サーバとが通信路を介して接続されることにより構成される情報提供システムにおいて、
上記可搬型情報端末装置は、
生体の血管を撮像する撮像手段と、
上記撮像手段により撮像された血管画像から血管部分を抽出する血管抽出手段と、
上記血管抽出手段により抽出された上記血管部分に基づいて上記生体における健康状態指標を検出する健康状態指標検出手段と、
上記健康状態指標及び上記管理サーバから上記通信路を介して供給される上記情報を通知する通知手段と
を具え、
上記可搬型情報端末装置又は上記管理サーバは、
上記健康状態指標検出手段により検出された上記健康状態指標の時間変化又は対応する正常範囲との比較に基づいて、健康状態の度合いを判定する健康状態判定手段
を具え、
上記管理サーバは、
上記通信路を介して上記可搬型情報端末装置に供給する情報として、上記健康状態判定手段により判定された上記健康状態の度合いに対応する上記情報を選択する選択手段
を具えることを特徴とする情報提供システム。
【請求項１０】
上記選択手段は、
複数の観点により分類された健康属性ごとに、上記情報の内容に応じて上記健康状態度を対応付けて各上記情報を記憶する記憶手段を具え、
上記記憶手段に記憶された各上記情報のうちから、上記健康状態判定手段により判定された上記健康状態の度合いに対応する情報を選択する
ことを特徴とする請求項９に記載の情報提供システム。
【請求項１１】
上記可搬型情報端末装置は、
ユーザの希望するキーワードを入力するための入力手段を具え、
上記選択手段は、
上記記憶手段に記憶された各上記情報のうちから、上記健康状態判定手段により判定された上記健康状態の度合いと、上記入力手段により入力された上記キーワードとに対応する情報を選択する
ことを特徴とする請求項１０に記載の情報提供システム。
【発明の詳細な説明】
【技術分野】
【０００１】
本発明は、可搬型情報端末装置及び情報提供システムに関し、例えば血管の特徴を認証対象として認証する場合に適用して好適なものである。
【背景技術】
【０００２】
従来、血管の撮像結果として撮像素子から出力される撮像画像を用いて認証（照合）及び脈拍の検出を行うようになされた認証装置が提案されている（例えば特許文献１参照）。
【０００３】
この認証装置は、指の撮像結果として得られる指画像から血管の特徴を抽出し、当該抽出した血管の特徴と、記憶手段に登録された血管の特徴との相関演算により本人の認証を行う。またこの認証装置は、指画像における特定領域の輝度値の総和又は平均を輝度情報として生成し、当該輝度情報の時間変化に対して自己回帰分析を施すようにして脈拍を検出する。そしてこの認証装置は、かかる認証結果として本人と確認し、かつ脈拍の検出結果に基づいて撮像対象が生体であると判断した場合にのみセキュリティロックの解錠を行うようになされている。
【０００４】
ところで脈拍は、疾病の有無に関する生体の状態（以下、これを健康状態と呼ぶ）における指標（以下、これを健康状態指標と呼ぶ）の１つとして重要な要素であり、当該健康状態指標として脈拍を検出すれば、自己の健康状態を管理することができ、ひいては疾病の早期発見及び予防を期待することができる。
【０００５】
一方、本出願人により既に血管認証機能を有する携帯電話機が提案されており（例えば非特許文献１参照）、この血管認証機能に代えて又はこの血管認証機能に加えて、上述の脈拍検出機能を搭載するようにすれば、当該携帯電話機を日常的に用いるユーザが自己の健康状態を簡易的に自己管理できるため、当該自己管理を補助するものの１つとして携帯電話機の有用性がより向上するものと考えられる。
【特許文献１】特開平２００３−３３１２６８号公報（〔００１０〕及び〔００１８〕）
【非特許文献１】特願２００４−１３５６０９号
【発明の開示】
【発明が解決しようとする課題】
【０００６】
しかしながらかかる構成の認証装置は、指画像のうち単に特定の領域の輝度情報に基づいて脈拍を検出しているため、当該血管以外の輝度情報も脈拍の検出結果に反映し、この結果、検出精度が低減することとなる。
【０００７】
従って、かかる脈拍検出機能を搭載した携帯電話機は、健康状態指標としての脈拍をあいまいな状態でユーザに通知することになり、信頼性が乏しいという結果を招くことが想定される。
【０００８】
本発明は以上の点を考慮してなされたもので、信頼性を向上し得る可搬型情報端末装置及び情報提供システムを提案しようとするものである。
【課題を解決するための手段】
【０００９】
かかる課題を解決するため本発明は、健康状態の自己管理を補助する可搬型情報端末装置において、生体の血管を撮像する撮像手段と、撮像手段により撮像された血管画像から血管部分を抽出する血管抽出手段と、血管抽出手段により抽出された血管部分に基づいて生体における健康状態指標を検出する健康状態指標検出手段と、健康状態判断指標を通知する通知手段とを設けるようにした。
【００１０】
従って、この可搬型情報端末装置では、血管画像に占める血管部分だけに着目した健康状態指標を検出できるため、実際の血管径（体積）の状態に反映された健康状態指標を通知することができる。
【００１１】
また本発明は、健康状態の自己管理を補助する可搬型情報端末装置と、健康を内容とする情報を管理する管理サーバとが通信路を介して接続されることにより構成される情報提供システムにおいて、可搬型情報端末装置には、血管を撮像する撮像手段と、撮像手段により撮像された血管画像から血管部分を抽出する血管抽出手段と、血管抽出手段により抽出された血管部分に基づいて生体における健康状態指標を検出する健康状態指標検出手段と、健康状態指標及び管理サーバから通信路を介して供給される情報を通知する通知手段とを設け、また可搬型情報端末装置又は管理サーバには、健康状態指標検出手段により検出された健康状態指標の時間変化又は対応する正常範囲との比較に基づいて、健康状態の度合いを判定する健康状態判定手段を設け、さらに管理サーバには、健康状態の度合いに対応する情報を通信路を介して可搬型情報端末装置に供給する供給手段を設けるようにした。
【００１２】
従って、この情報提供システムでは、血管画像に占める血管部分だけに着目した健康状態指標を検出できるため、実際の血管径（体積）の状態に反映された健康状態指標から判定した正確性の高い健康状態の度合いを通知することができる。
【発明の効果】
【００１３】
本発明によれば、健康状態の自己管理を補助する可搬型情報端末装置において、撮像手段により撮像された血管画像から血管部分を抽出し、この血管部分に基づいて検出した健康状態指標を通知するようにしたことにより、血管画像に占める血管部分だけの状態に反映される健康状態指標を検出することができるため、実際の血管径（体積）の状態に反映された健康状態指標を通知することができ、かくして信頼性を向上することができる。
【００１４】
また本発明によれば、健康状態の自己管理を補助する可搬型情報端末装置と、健康を内容とする情報を管理する管理サーバとが通信路を介して接続されることにより構成される情報提供システムにおいて、撮像手段により撮像された血管画像から血管部分を抽出し、この血管部分に基づいて生体における健康状態指標を検出すると共に、当該健康状態指標の時間変化又は健康状態指標と対応する正常範囲との比較に基づく健康状態の度合いを判定し、健康状態の度合いを通知するようにしたことにより、血管画像に占める血管部分だけに着目した健康状態指標を検出できるため、実際の血管径（体積）の状態に反映された健康状態指標から判定した正確性の高い健康状態の度合いを通知することができ、かくして信頼性を向上することができる。
【発明を実施するための最良の形態】
【００１５】
以下図面について本発明を適用した実施の形態を詳述する。
【００１６】
（１）第１の実施の形態
図１において、１は第１の実施の形態による携帯電話機を示し、この携帯電話機１は、内部に記憶された秘匿データの送信時において、この携帯電話機１を操作するユーザの血管撮像結果を用いて正規ユーザの有無を判定するようになされており、このとき血管撮像結果を用いて健康状態指標を検出し得るようになされている。
【００１７】
（１−１）携帯電話機の外観構成
この携帯電話機１においては、外観構成として、図１及び図２に示すように、略直方体形状でなる第１の筺体（以下、これを第１筐体と呼ぶ）２及び第２の筺体（以下、これを第２筺体と呼ぶ）３が、当該第２筺体３の一端に設けられた回転軸部４を介して略水平方向へ回転自在に連結されことにより構成される。
【００１８】
この第１筺体２の表面中央には表示部１１が設けられていると共に、当該表示部１１の上方にはスピーカ１２、下方にはジョグダイヤルと呼ばれる回転及び押圧自在の操作部（以下、これを回転押圧操作部と呼ぶ）１３がそれぞれ設けられている。
【００１９】
一方、第２筺体３の表面中央には電源キー、発呼キー及び文字入力キー等の各種操作キーからなる操作部１４が設けられていると共に、当該操作部１４の下方にはマイクロフォン１５が設けられている。
【００２０】
そしてこの携帯電話機１は、第１筺体２の裏面及び第２筺体３の表面を離した開状態において（図１）、第２筺体３を片手で把持しながら通話又は操作部１４を操作し、一方、第１筺体２の裏面及び第２筺体３の表面を重ねた閉状態において（図２）、操作部１４を保護すると共に誤操作を防止し、かつ携帯電話機１全体の寸法を小型化して携帯性を向上し得るようになされている。
【００２１】
かかる構成に加えて、この携帯電話機１では、図３に示すように、血管内の脱酸素化ヘモグロビン（静脈血）又は酸素化ヘモグロビン（動脈血）に近赤外線帯域の光（近赤外光）が特異的に吸収されることを利用して血管を撮像する血管撮像部２０が、第２筺体３の上端側面に設けられている。この血管撮像部２０は、その中央部（第２筺体３の側面中央部）においてＣＣＤ(Charge Coupled Device)カメラ２１を有している。
【００２２】
従って、この携帯電話機１においては、図４に示すように、第２筺体３を把持しながらその把持する人差指ＦＧの第１関節の指腹を、ごく自然にＣＣＤカメラ２１にあてがうようにして配置し得るようになされている。
【００２３】
（１−２）血管撮像部の構成
実際上、この血管撮像部２０においては、図４及び図５に示すように、ＣＣＤカメラ２１が第２筺体３内部に収納されており、当該ＣＣＤカメラ２１に対応させて血管撮像部２０の表面（第２筺体３の表面）には撮像開口部２２が設けられ、当該撮像開口部２２には、所定材質でなる無色透明の蓋部２３が設けられている。
【００２４】
これによりこの血管撮像部２０は、撮像開口部２２から第２筺体３内への異物の流入を防止すると共に、人差指ＦＧをあてがうことに起因するＣＣＤカメラ２１の汚れを未然に防止することができるようになされている。
【００２５】
また血管撮像部２０の表面には、近赤外光光源２４（２４Ａ及び２４Ｂ）が設けられており、当該近赤外光光源２４においては、撮像開口部２２上にあてがわれた人差指ＦＧの指腹側面に近赤外光が照射されるようにその照射方向が選定されている。
【００２６】
従って血管撮像部２０は、近赤外光光源２４から撮像開口部２２上にあてがわれた人差指ＦＧに対して照射され、当該人差指ＦＧ内方の血管組織において内在するヘモグロビンに吸収されると共に血管組織以外の組織において散乱することにより血管が投影された近赤外光（以下、これを血管投影光と呼ぶ）を、撮像開口部２２及び蓋部２３を順次介してＣＣＤカメラ２１に入射することができるようになされている。
【００２７】
このＣＣＤカメラ２１は、撮像開口部２２下の光路において、脱酸素化ヘモグロビン及び酸素化ヘモグロビンの双方に特異的な近赤外線帯域の波長（およそ７００[nm]〜９００[nm]）に対応する光のみを透過するマクロレンズ（以下、これを近赤外光透過レンズと呼ぶ）２５及びＣＣＤ２６を順次配することにより構成される。
【００２８】
従って、ＣＣＤカメラ２１は、撮像開口部２２から入射される各種帯域の光のうち、脱酸素化ヘモグロビン及び酸素化ヘモグロビンの混在する指先の血管を反映した近赤外光（血管投影光）をＣＣＤ２６に導光することができるようになされている。
【００２９】
これに加えてこのＣＣＤカメラ２１には、撮像開口部２２及び近赤外光透過レンズ２５間において、近赤外光光源２４の照射方向に対して直交する方向（以下、これを照射直交方向と呼ぶ）に偏光軸を有する偏光板２７が設けられている。
【００３０】
これによりこのＣＣＤカメラ２１においては、照射直交方向に対して垂直となる方向から、人差指ＦＧの内方を経由することなくその人差指ＦＧの表面を反射した近赤外光（以下、これを指表面反射近赤外光と呼ぶ）を偏向板２７により光路から逸らすことができるようになされている。
【００３１】
従ってこのＣＣＤカメラ２１は、撮像開口部２２から入射される近赤外光のうち、人差指ＦＧ内方から得られる近赤外光（血管射影光）を選択的にＣＣＤ２６に導光することができるようになされている。
【００３２】
ＣＣＤ２６は、格子状に配された複数の光電変換素子を有し、これら光電変換素子において血管射影光を光電変換する。そしてＣＣＤ２６は、この光電変換結果として各光電変換素子それぞれにチャージされる電荷を所定の制御信号に従って血管画像信号Ｓ１０（Ｓ１０１〜Ｓ１０ｎ）として順次出力するようになされている。
【００３３】
このようにしてこの血管撮像部２０は、人差指ＦＧ内方における血管を撮像対象として撮像することができるようになされている。
【００３４】
（１−３）携帯電話機の回路構成
一方、この携帯電話機１においては、回路構成として、図６に示すように、当該携帯電話機１全体の制御を司る制御部３０に対して、表示部１１、回転押圧操作部１３、操作部１４、血管撮像部２０、記憶部３１及び通信部３２がそれぞれ接続されることにより構成される。
【００３５】
この制御部３０は、ＣＰＵ(Central Processing Unit)、ＲＯＭ(Read Only Memory)、ＲＡＭ(Random Access Memory)、クロック発生器、タイマ（内蔵時計）及びイメージプロセッサを有し、当該クロック発生器から発生されるクロックに従って表示部１１、血管撮像部２０、記憶部３１及び通信部３２を適宜制御する。
【００３６】
この実施の形態では、制御部３０は、身体情報を登録する操作に対応する登録命令が回転押圧操作部１３又は操作部１４から与えられた場合、当該身体情報として年齢及び体重を入力する入力画面を表示部１１に表示し、当該入力画面を介して入力された年齢及び体重を正規ユーザの身体情報のデータ（以下、これを正規ユーザ身体データと呼ぶ）として記憶部３１に記憶するようになされている。
【００３７】
また制御部３０は、記憶部３１に記憶される秘匿データを送信する操作に対応する送信命令が回転押圧操作部１３又は操作部１４から与えられた場合、血管撮像部２０の撮像状態を制御する撮像状態制御処理を実行する。
【００３８】
この状態において制御部３０は、血管撮像部２０から出力される血管画像信号Ｓ１０に基づいて血管認証処理を実行する。このとき制御部３０は、かかる血管画像信号Ｓ１０に基づいて体脂肪率、脈拍及び血管幅を健康状態指標として検出し、当該検出結果を血管認証結果に応じて記憶部３１に記憶する健康状態指標検出処理を実行するようになされている。
【００３９】
さらに制御部３０は、健康状態指標を通知する操作に対応する通知命令が回転押圧操作部１３又は操作部１４から与えられた場合、記憶部３１に記憶される健康状態指標の検出結果を通知する健康状態指標通知処理を実行するようになされている。
【００４０】
記憶部３１には、この携帯電話機１における設定データ、正規ユーザに関する個人データ及び正規ユーザにおける血管形成パターンのデータ（以下、これを正規血管形成パターンデータと呼ぶ）等の各種秘匿データが所定のファイル形式でそれぞれ記憶されている。この正規血管形成パターンデータは、例えばこの携帯電話機１の購入時において所定の血管登録装置により予め記憶される。
【００４１】
またこの記憶部３１には、身体情報と、体脂肪率、脈拍及び血管幅の正常範囲との対応付けがテーブル（以下、これを身体情報正常範囲対応テーブルと呼ぶ）として予め記憶されていると共に、体脂肪量と血管の輝度状態との対応付けがテーブル（以下、これを体脂肪量血管輝度状態対応テーブルと呼ぶ）として予め記憶されている。
【００４２】
そして記憶部３１は、これらデータを制御部３０の制御に応じて適宜読み出し、当該読み出したデータを制御部３０に送出するようになされている。
【００４３】
通信部３２は、スピーカ１２、マイクロフォン１５及びこの携帯電話機１に設けられたアンテナＡＮＴにそれぞれ接続されており、制御部３０の制御に応じて通信処理を実行する。
【００４４】
すなわち通信部３２は、マイクロフォン１５又は制御部３０から供給される各種信号に対して所定の変調処理を施した後に増幅し、この結果得られる送信信号をアンテナＡＮＴを介してアップリンク波信号として基地局（図示せず）に送信する。
【００４５】
一方、通信部３２は、基地局（図示せず）から送信されたダウンリンク波信号をアンテナＡＮＴを介して受信し、増幅した後に所定の復調処理を施し、この結果得られる各種信号をスピーカ１２又は制御部３０に送出するようになされている。
【００４６】
（１−４）制御部の具体的な処理内容
次に、かかる制御部３０による撮像状態制御処理、血管認証処理、健康状態指標検出処理及び健康状態指標通知処理の具体的な処理内容を詳述する。
【００４７】
（１−４−１）撮像状態制御処理
この撮像状態制御処理では、血管撮像部２０に到来する可視光等の雰囲気中の光（以下、これを通常光と呼ぶ）に基づくノイズ成分が低減するように、血管撮像部２０の撮像状態が制御される。
【００４８】
そしてこの撮像状態制御処理は機能的にみると、図７に示すように、光源駆動部４１と、ＣＣＤ駆動部４２として分類することができる。
【００４９】
光源駆動部４１は、この携帯電話機１に内蔵されるバッテリから供給される電源電圧を予め設定された電圧値（以下、これを設定電圧値と呼ぶ）にまで昇圧し、当該昇圧した電源電圧を光源駆動信号Ｓ１として近赤外光光源２４（２４Ａ及び２４Ｂ）に印加するようにして、当該近赤外光光源２４を駆動する。
【００５０】
この結果、血管撮像部２０（図５）では近赤外光光源２４が点灯し、撮像開口部２２上にあてがわれた人差指ＦＧに近赤外光が照射される。
【００５１】
この場合、光源駆動部４１は、通常光よりも大きい強度となる値として選定された設定電圧値にまで電源電圧を昇圧するようになされている。従って、近赤外光光源２４（２４Ａ及び２４Ｂ）から照射される近赤外光に対する通常光の影響は低減することとなる。
【００５２】
一方、ＣＣＤ駆動部４２においては、図８（Ａ）に示すように、立ち下がり時点から次の立ち下がり時点までの単位期間ＰＴとする所定のデューティー比のパルス信号を生成し、これを電荷読出信号Ｓ２としてＣＣＤ２６に送出する。この場合、このＣＣＤ２６では、単位期間ＰＴ（図８（Ａ））において各光電変換素子にチャージされる電荷が、立ち下がり時点を読出開始時点として周期的に読み出される。
【００５３】
しかしこの場合、図９（Ａ）に示すように、近赤外光光源２４から照射される近赤外光の強度が通常光よりも大きいことに起因して、ＣＣＤ２６では単位期間ＰＴ（図９（Ａ））の途中で各光電変換素子にチャージされる電荷が飽和するといった事態が起こることとなる。
【００５４】
そこでこのＣＣＤ駆動部４２は、ＣＣＤ２６（各光電変換素子）にチャージされる単位期間ＰＴ（図８（Ａ））当たりの電荷量を制限するようになされている。
【００５５】
実際上、ＣＣＤ駆動部４２は、図８（Ｂ）に示すように、ＣＣＤ２６（各光電変換素子）にチャージされている電荷のリセット時点として、予め設定された例えば単位期間ＰＴの中間時点となるように、電荷読出信号Ｓ２に基づいて電荷リセット信号Ｓ３を生成する。
【００５６】
このリセット時点は、近赤外光光源２４に印加する光源駆動信号Ｓ１の電圧値（即ち近赤外光の強度）に応じて各光電変換素子にチャージされる電荷の飽和期間が変化するため、単位期間ＰＴのうちの当該電圧値に対応する時点に選定される。
【００５７】
そしてＣＣＤ駆動部４２は、かかる電荷リセット信号Ｓ３を電荷読出信号Ｓ２と共にＣＣＤ２６に送出する。この結果、ＣＣＤ２６では、図８（Ｃ）に示すように、単位期間ＰＴにチャージされる電荷が、電荷リセット信号Ｓ３のリセット時点から電荷読出信号Ｓ２の立ち下がり時点までの期間ＥＳＴのみに制限されることとなる。
【００５８】
またこのＣＣＤ２６では、図９（Ｂ）に示すように、血管射影光と共に通常光が入射した場合であっても、当該血管射影光及び通常光に対する光電変換結果として各光電変換素子にチャージされる電荷量が相対的に減少することになるため、当該ＣＣＤ２６における血管射影光に対する撮像感度は通常光による実質的な影響のない状態となる。
【００５９】
このようにして制御部３０は、通常光に基づくノイズ成分が低減するように血管撮像部２０の撮像状態を制御することにより、当該血管撮像部２０から出力される血管画像信号Ｓ１０の質を向上することができ、この結果、当該血管画像信号Ｓ１０に基づいてその後に実行する血管認証処理及び健康状態指標検出処理での精度を向上することができるようになされている。
【００６０】
この場合、制御部３０は、血管撮像部２０の撮像状態を電気的に制御するため、通常光を遮断する物理的な遮蔽部材を設けることなく、また近赤外光透過レンズ２５における透過波長域を厳密に追及することもなく血管画像信号Ｓ１０の質を向上することができるようになされている。
【００６１】
（１−４−２）血管認証処理
この血管認証処理では、秘匿データを送信する操作を行った生体（以下、これを操作対象ユーザと呼ぶ）の血管画像を用いて正規ユーザの有無が判定される。
【００６２】
そしてこの血管認証処理は機能的にみると、図１０に示すように、Ａ／Ｄ(Analog/Digital)変換部５１と、血管抽出部５２と、認証部５３として分類することができる。
【００６３】
Ａ／Ｄ変換部５１は、血管撮像部２０（図５）から順次出力される血管画像信号Ｓ１０（Ｓ１０１〜Ｓ１０ｎ）に対してＡ／Ｄ変換処理を施すようにして血管画像のデータ（以下、これを血管画像データと呼ぶ）Ｄ１１（Ｄ１１１〜Ｄ１１ｎ）を生成し、これを血管抽出部５２に送出する。
【００６４】
血管抽出部５２は、血管画像データＤ１１（Ｄ１１１〜Ｄ１１ｎ）に対して例えばメディアンフィルタ処理を施すようにしてこの血管画像データＤ１１に含まれるノイズ成分を除去する。
【００６５】
そして血管抽出部５２は、ノイズ成分が除去された血管画像データＤ１１に対して例えばラプラシアン処理を施すようにして当該血管画像内の血管の輪郭を検出し、当該検出結果に応じて血管を抽出し、これをデータ（以下、これを血管データと呼ぶ）Ｄ１２（Ｄ１２１〜Ｄ１２ｎ）として認証部５３に送出する。
【００６６】
認証部５３は、例えば図１１に示すように、血管データＤ１２１に基づく血管から分岐点に対応する画素（以下、これを分岐点画素と呼ぶ）Ｂ１〜Ｂ１１を検出し、当該検出した分岐点画素Ｂ１〜Ｂ１１の組み合わせを血管の特徴（血管形成パターン）として生成する。
【００６７】
そして認証部５３は、このとき生成した血管形成パターンと、記憶部３１に予め記憶された正規血管形成パターンデータの血管形成パターンとの対応する分岐点画素同士を照合する。
【００６８】
ここで、認証部５３は、この照合結果として所定の閾値以上の照合率が得られた場合には操作対象ユーザが正規ユーザであると判定し、送信相手及び送信対象データ等の通信関連情報を入力するように表示部１１を介して通知する。
【００６９】
そして認証部５３は、この通知の応答として操作部１４又は１４を介して入力された通信関連情報に従って通信するように通信部３２を制御すると共に、記憶部３１に記憶された個人データを適宜読み出して通信部３２に送出するようになされている。
【００７０】
これに対して認証部５３は、照合結果として所定の閾値未満の照合率が得られた場合には、その後に血管抽出部５２から順次供給される血管データＤ１２２、Ｄ１２３、……を用いて規定回数だけ上述の照合処理をリトライする。
【００７１】
そして認証部５３は、リトライした照合処理結果（照合率）がいずれも閾値未満となる場合には操作対象ユーザが第三者であると判定し、血管認証が失敗した旨を表示部１１を介して通知するようになされている。
【００７２】
このようにして制御部３０は、血管画像信号Ｓ１０を用いて正規ユーザの有無を判定することにより、生体表面に有する指紋等に比して第三者による登録者への成りすましをより強固に防止することができるため、第三者が意図的に個人データを漏洩させるといった事態を未然に回避でき、この結果、秘匿データの保護を強化することができるようになされている。
【００７３】
（１−４−３）健康状態指標検出処理
この健康状態指標検出処理では、上述の血管認証処理における一部の処理を共用して並列的に、血管画像を用いて体脂肪率、脈拍及び血管幅が検出され、当該検出結果が上述の血管認証結果に応じて記憶部３１に記憶される。
【００７４】
そしてこの健康状態指標検出処理は機能的にみると、図１０に示したように、体脂肪率検出部６１と、脈拍検出部６２と、血管幅検出部６３及び健康状態指標記憶処理部６４として分類することができる。
【００７５】
（１−４−３−１）体脂肪の検出
体脂肪率検出部６１は、血管データＤ１２（Ｄ１２１〜Ｄ１２ｎ）における輝度状態に基づいて体脂肪率を検出する。
【００７６】
ここで、輝度状態を表す輝度ヒストグラムと体脂肪量との関係について説明する。生体の体脂肪量が少ない場合には、生体内方での近赤外光の散乱量が少ないため、大部分の近赤外光が血管に内在するヘモグロビンに吸収される結果、例えば図１２（Ａ）に示すように、血管データＤ１２の輝度ヒストグラムにおいては、最大ピークＰのピーク幅ＰＷ１が狭い状態で出現する。
【００７７】
一方、体脂肪量が多くなるほど、生体内方での近赤外光の散乱量が増加するため、当該増加に応じてヘモグロビンを有しない組織に近赤外光が散在する結果、図１２（Ｂ）及び（Ｃ）に示すように、最大ピークＰのピーク幅ＰＷ２、ＰＷ３が体脂肪量に応じて広がる。
【００７８】
この図１２からも明らかなように、体脂肪量に応じて、生体内方での近赤外光の散乱量や散乱経路等の相違が輝度ヒストグラムに反映されることが分かる。
【００７９】
実際には、骨や筋の太さ等にも依存するが、体脂肪量が最も特異的に輝度ヒストグラムに反映されることが、本出願人により既に確認されている。
【００８０】
この実施の形態の場合、記憶部３１に予め記憶された体脂肪量血管輝度状態対応テーブルには、図１３に示すように、最大ピークＰのピーク高ＰＨの例えば中間点におけるピーク幅（以下、これを中間ピーク幅と呼ぶ）ＰＷＭと体脂肪量との関係を統計的に分析した結果が反映されている。
【００８１】
従って体脂肪率検出部６１は、血管データＤ１２（Ｄ１２１〜Ｄ１２ｎ）における輝度ヒストグラムにおける中間ピーク幅ＰＷＭをそれぞれ検出した後、これら中間ピーク幅ＰＷＭの平均値に対応する体脂肪量を、かかる体脂肪量血管輝度状態対応テーブルに基づいて選択する。
【００８２】
そして体脂肪率検出部６１は、この体脂肪量と、記憶部３１に記憶された身体データの体重とに基づいて体脂肪率を算出し、この算出結果をデータ（以下、これを体脂肪率データと呼ぶ）Ｄ２１として健康状態指標記憶処理部６４に送出する。
【００８３】
このようにして体脂肪率検出部６１は、血管データＤ１２（Ｄ１２１〜Ｄ１２ｎ）における輝度状態に基づいて体脂肪率を検出することができるようになされている。
【００８４】
（１−４−３−２）脈拍の検出
脈拍検出部６２は、血管データＤ１２（Ｄ１２１〜Ｄ１２ｎ）における血管の画素数に基づいて血管面積を算出すると共に、当該血管面積の単位時間あたりの変化を計測する。この血管面積は脈拍に応じた実際の血管径（体積）の変化に対応して増減するため、当該血管面積の時間変化は脈拍に反映される。従って、脈拍検出部６２は、かかる計測結果から脈拍を検出し、当該検出結果をデータ（以下、これを脈拍データと呼ぶ）Ｄ２２として健康状態指標記憶処理部６４に送出する。
【００８５】
この検出手法においては、血管撮像部２０における光路上での又は生体での近赤外光の光量変化が血管データＤ１２（Ｄ１２１〜Ｄ１２ｎ）における血管面積の時間変化に直接的には反映されない点で、図１２でも上述したように、当該光量変化が直接的に反映される輝度状態の時間変化に基づいて脈拍を検出する場合に比して、精度よく脈拍を検出できる。
【００８６】
このようにして脈拍検出部６２は、血管画像に占める血管だけの面積の時間変化に応じて脈拍を検出することにより、実際の血管径（体積）の変化に対応した脈拍を高い精度で検出することができるようになされている。
【００８７】
（１−４−３−３）血管幅の検出
血管幅検出部６３は、血管データＤ１２１の分岐点画素Ｂ１〜Ｂ１１（図１１）のうち血管幅に対応する２つの分岐点画素Ｂを決定し、当該決定した例えば分岐点画素Ｂ４及びＢ５の最短距離を検出する。なお、かかる分岐点画素Ｂ１〜Ｂ１１は、認証部５３での処理結果を用いるようにしても良く、この血管幅検出部６３において独自に検出するようにしても良い。
【００８８】
同様にして、血管幅検出部６３は、血管データＤ１２２〜Ｄ１２ｎの血管についても、分岐点画素Ｂ４及びＢ５に対応する分岐点画素Ｂの最短距離を検出する。
【００８９】
この検出手法においては、脈拍の検出手法と同様に、血管撮像部２０における光路上での又は生体での近赤外光の光量変化が血管データＤ１２における血管部分の血管幅に直接的には反映されない点で、当該光量変化が直接的に反映される血管部分における輝度状態に基づいて脈拍を検出する場合に比して、精度よく血管幅を検出できる。
【００９０】
そして血管幅検出部６３は、これら血管データＤ１２２〜Ｄ１２ｎの血管部分の血管幅における平均値を算出し、この算出結果をデータ（以下、これを血管幅データと呼ぶ）Ｄ２３として健康状態指標記憶処理部６４に送出する。
【００９１】
このようにして血管幅検出部６３は、血管データＤ１２２〜Ｄ１２ｎにおける血管の同一部分の血管幅の平均値を検出することにより、実際の血管径（体積）の変化に対応した血管幅を高い精度で検出することができるようになされている。
【００９２】
（１−４−３−４）健康状態指標の記憶
健康状態指標記憶処理部６４は、認証部５３から供給される記憶不許可命令Ｄ２４Ａ又は記憶許可命令Ｄ２４Ｂを待ち受けるようになされており、当該記憶不許可データＤ２４Ａを受けた場合には、体脂肪率データＤ２１、脈拍データＤ２２及び血管幅データＤ２３を破棄する。
【００９３】
これに対して健康状態指標記憶処理部６４は、記憶許可命令Ｄ２４Ｂを受けた場合には、体脂肪率データＤ２１、脈拍データＤ２２及び血管幅データＤ２３を対応付けて記憶部３１に記憶するようになされている。
【００９４】
従って健康状態指標記憶処理部６４は、正規ユーザだけの健康状態指標（体脂肪率、脈拍及び血管幅）を記憶部３１に記憶することができるようになされている。
【００９５】
なお、健康状態指標記憶処理部６４は、タイマ（内蔵時計）に基づいて記憶許可データＤ２４Ｂを受けた時点の日時をデータ（以下、これを日時データと呼ぶ）として生成し、これを体脂肪率データＤ２１、脈拍データＤ２２及び血管幅データＤ２３とともに対応付けて記憶するようになされている。
【００９６】
（１−４−３−５）健康状態指標検出処理のまとめ
このようにして制御部３０は、血管認証処理における一部の処理を共用して並列的に体脂肪率、脈拍及び血管幅を検出し、当該検出結果を血管認証結果に応じて記憶部３１に記憶することにより、ユーザに対して健康状態指標の生成操作を強要することなく、正規ユーザの健康状態指標を自動的に保存することができるため、正規ユーザだけの健康状態指標を必然的に管理できるようになされている。
【００９７】
（１−４−４）健康状態指標通知処理
この健康状態指標通知処理では、回転押圧操作部１３又は操作部１４から与えられた通知命令に対応する体脂肪率、脈拍又は血管幅のいずれかが表示部１１を介して通知される。
【００９８】
実際上、制御部３０は、例えば脈拍の通知命令を受けた場合には、記憶部３１に記憶された脈拍データＤ２２、日時データ、正規ユーザ身体情報データ及び身体情報正常範囲対応テーブルに基づいて表示データＤ３０（図６）を生成し、この表示データＤ３０に基づく例えば図１４に示す表示画面ＰＩＣ１を表示部１１に表示する。
【００９９】
この表示画面ＰＩＣ１には、画面中央において縦軸を脈拍及び横軸を日時とするグラフ（以下、これを脈拍グラフと呼ぶ）ＰＧＦが表示されるようになされており、当該脈拍グラフＰＧＦには、脈拍の正常範囲（以下、これを脈拍正常範囲と呼ぶ）ＰＮＡ及び正常ユーザの脈拍動向がプロットされる。
【０１００】
そして脈拍グラフＰＧＦの上方には、例えば「△日間は正常です」のように、脈拍正常範囲ＰＮＡに対する正常ユーザの脈拍状態が脈拍コメントＰＣＭとして表示される。
【０１０１】
このように制御部３０は、正規ユーザの意図に応じて、当該正規ユーザの脈拍動向を対応する脈拍正常範囲ＰＮＡと併せて脈拍グラフＰＧＦとして表示し、かつ脈拍正常範囲ＰＮＡに対する正常ユーザの脈拍状態を脈拍コメントＰＣＭとして表示する。
【０１０２】
従って、正規ユーザは、この脈拍グラフＰＧＦ及び脈拍コメントＰＣＭから自身の脈拍に関する事項を一見して直感的に把握することができる。また脈拍グラフＰＧＦにプロットされる正規ユーザの脈拍動向は秘匿データの送信時に取得されるものであるため、正規ユーザは、秘匿データの通信回数及び通信日時を間接的に把握することができる。
【０１０３】
なお、制御部３０は、体脂肪率又は血管幅についても脈拍と同様に、正規ユーザの体脂肪率又は血管幅の動向を対応する体脂肪率又は血管幅の正常範囲と併せてグラフとして表示し、かつ体脂肪率又は血管幅の正常範囲に対する体脂肪率又は血管幅の状態をコメントとして表示するようになされている。
【０１０４】
（１−５）健康状態指標管理処理手順
上述の制御部３０による撮像状態制御処理、血管認証処理及び健康状態指標検出処理の一連の処理（以下、これを健康状態指標管理処理と呼ぶ）としては、図１５に示す健康状態指標管理処理手順に従って実行される。
【０１０５】
すなわち制御部３０は、秘匿データを送信する送信命令を受けると、この健康状態指標管理処理手順ＲＴ１をステップＳＰ０から開始し、続くステップＳＰ１に進んで、通常光に基づくノイズ成分が低減するように血管撮像部２０の撮像状態を制御した後、次のステップＳＰ２において、当該血管撮像部２０から出力される血管画像信号Ｓ１０から血管を抽出する。
【０１０６】
そして制御部３０は、次のステップＳＰ３に進んで、ステップＳＰ２で抽出した血管に基づいて、健康状態指標（体脂肪率、脈拍及び血管径）を検出し、続くステップＳＰ４において、当該ステップＳＰ２で抽出した血管が正規ユーザであるか否かを判定する。
【０１０７】
ここで、制御部３０は、肯定結果が得られた場合には、続くステップＳＰ５に進んで、ステップＳＰ３で検出した健康状態指標を記憶部３１に記憶し、続くステップＳＰ６に進んで、通信部３２を介して秘匿データを送信した後、次のステップＳＰ７に進んでこの健康状態指標管理処理手順ＲＴ１を終了する。
【０１０８】
これに対して制御部３０は、否定結果が得られた場合には、続くステップＳＰ８に進んで、当該健康状態指標を破棄した後、次のステップＳＰ９に進んで、予め設定されたリトライ回数だけ照合処理をリトライしたか否かを判定する。
【０１０９】
そして制御部３０は、リトライ回数だけ照合処理をリトライしていない場合にはステップＳＰ２に戻って上述の処理を繰り返す一方、リトライ回数だけ照合処理をリトライした場合には、ステップＳＰ７に進んでこの健康状態指標管理処理手順ＲＴ１を終了するようになされている。
【０１１０】
このようにして制御部３０は、健康状態指標管理処理（撮像状態制御処理、血管認証処理及び健康状態指標検出処理）を実行することができるようになされている。
【０１１１】
（１−６）動作及び効果
以上の構成において、この携帯電話機１は、血管撮像部２０から出力される血管画像信号Ｓ１０に基づく血管画像から血管に相当する部分を抽出し、この血管部分を用いた照合処理と並列的に、当該血管部分に基づいて３つの健康状態指標（体脂肪率、脈拍及び血管幅）を検出し、この検出結果のいずれかを表示部１１に表示する。
【０１１２】
従って、この携帯電話機１では、血管部分だけに着目した健康状態指標を検出できるため、実際の血管径（体積）の状態に反映する正確度の高い健康状態指標を通知することができる。
【０１１３】
以上の構成によれば、血管撮像部２０から出力される血管画像信号Ｓ１０に基づく血管画像から血管に相当する部分を抽出し、この血管部分を用いた照合処理と並列的に、当該血管部分に基づいて３つの健康状態指標（体脂肪率、脈拍及び血管幅）を検出し、この検出結果を通知するようにしたことにより、血管部分だけに着目した健康状態指標を検出できるため、実際の血管径（体積）の状態に反映する正確度の高い健康状態指標を通知することができ、かくして信頼性を向上することができる。
【０１１４】
（２）第２の実施の形態
図１６において、１００は第２の実施の形態による健康状態関連情報提供システムを示し、携帯電話機１０１と、情報管理サーバ１０２とが基地局（図示せず）を介して無線接続されることにより構成される。
【０１１５】
この携帯電話機１０１は、内部に記憶された秘匿データの送信時において、この携帯電話機１０１を操作するユーザの血管撮像結果を用いて正規ユーザの有無を判定すると共に健康状態指標を検出し、当該判定結果に応じて健康状態指標を記憶する点で、第１の実施の形態における携帯電話機１と同一である。
【０１１６】
またこの携帯電話機１０１は、かかる健康状態指標を用いて健康状態の度合い（以下、これを健康状態度と呼ぶ）を所定周期で判定し、当該判定結果と、ユーザの希望する情報を取得するためのキーワード（以下、これを希望情報取得用キーワードと呼ぶ）とを管理サーバ１０２に送信する点で、第１の実施の形態における携帯電話機１とは相違する。
【０１１７】
一方、この情報管理サーバ１０２は、健康状態に関連する情報（以下、これを健康状態関連情報と呼ぶ）を、その内容及び健康状態度ごとに管理するようになされている。またこの情報管理サーバ１０２は、携帯電話機１０１から送信される希望情報取得用キーワードを含む健康状態関連情報を検索し、この検索結果として得られる健康状態関連情報のうち、携帯電話機１から送信された健康状態度に対応する健康状態関連情報（以下、これを健康状態度対応情報と呼ぶ）を選択し、これを携帯電話機１０１に送信するようになされている。
【０１１８】
このようにこの情報提供システム１００では、各種健康状態関連情報のうち、例えば図１７に示すように、正規ユーザにおける健康状態度と当該ユーザの意図とが反映された健康状態度対応情報が、携帯電話機１０１を経由して提供されるようになされている。
【０１１９】
（２−１）携帯電話機の外観構成
この携帯電話機１０１の外観構成は、図１〜図４で示した携帯電話機１の外観構成と同一である。従って、携帯電話機１０１の外観構成の説明はここでは省略する。
【０１２０】
（２−２）血管撮像部の構成
この携帯電話機１０１には、図４及び図５に示した血管撮像部２０が搭載されているため、当該血管撮像部２０の説明はここでは省略する。
【０１２１】
（２−３）携帯電話機の回路構成
この携帯電話機１０１においては、内部の回路構成として、図６との対応部分に同一符号を付した図１８に示すように、当該携帯電話機１０１全体の制御を司る制御部１３０に対して、表示部１１、回転押圧操作部１３、操作部１４、血管撮像部２０、記憶部３１及び通信部３２がそれぞれ接続されることにより構成される。
【０１２２】
この制御部１３０は、ＣＰＵ、ＲＯＭ、ＲＡＭ、クロック発生器、タイマ（内蔵時計）及びイメージプロセッサを有し、当該クロック発生器から発生されるクロックに従って表示部１１、血管撮像部２０、記憶部３１及び通信部３２を適宜制御する。
【０１２３】
この実施の形態では、制御部１３０は、身体情報の登録命令が回転押圧操作部１３又は操作部１４から与えられた場合、上述の第１の実施の形態の場合と同様にして、年齢及び体重を正規ユーザ身体データとして記憶部３１に記憶する。
【０１２４】
また制御部１３０は、秘匿データの送信命令が回転押圧操作部１３又は操作部１４から与えられた場合、上述の第１の実施の形態の場合と同様にして、撮像状態制御処理、血管認証処理及び健康状態指標検出処理を順次実行する。
【０１２５】
さらに制御部１３０は、健康状態指標の通知命令が回転押圧操作部１３又は操作部１４から与えられた場合、上述の第１の実施の形態の場合と同様にして、健康状態指標通知処理を実行する。
【０１２６】
かかる構成に加えてこの制御部１３０は、希望情報取得用キーワードを登録する操作に対応する登録命令が回転押圧操作部１３又は操作部１４から与えられた場合、当該希望情報取得用キーワードを入力する入力画面を表示部１１に表示し、当該入力画面を介して入力された希望情報取得用キーワードをデータ（以下、これを希望情報取得用キーワードデータと呼ぶ）として記憶部３１に記憶するようになされている。
【０１２７】
また制御部３０は、健康状態度を通知する操作に対応する通知命令が回転押圧操作部１３又は操作部１４から与えられた場合、記憶部３１に記憶される健康状態指標（体脂肪率、脈拍及び血管幅）に基づいて、ストレスの度合い（以下、これをストレス度と呼ぶ）、血行の度合い（以下、これを血行度と呼ぶ）及び肥満の度合い（以下、これを肥満度と呼ぶ）を健康状態度として判定し、この判定結果及び健康状態指標を通知する健康状態度通知処理を実行するようになされている。
【０１２８】
さらに制御部３０は、予め設定された周期（以下、これを設定周期と呼ぶ）ごとに、又は健康状態度対応情報を取得する操作に対応する取得命令が回転押圧操作部１３又は操作部１４から与えられた場合に、健康状態度及び希望情報取得用キーワードを管理サーバ１０２に送信し、この応答として管理サーバ１０２から送信される健康状態関連情報を取得する情報取得処理を実行するようになされている。
【０１２９】
（２−４）制御部の処理内容
次に、かかる制御部１３０による撮像状態制御処理、血管認証処理、健康状態指標検出処理、健康状態指標通知処理、健康状態度通知処理及び情報取得処理のうち、第１の実施の形態の制御部３０には有していない健康状態度通知処理及び情報取得処理のみについて具体的な処理内容を詳述する。
【０１３０】
（２−４−１）健康状態度通知処理
この健康状態度通知処理では、通知命令に対応するストレス度、血行度又は肥満度が判定され、当該判定結果がストレス度、血行度の判定結果を健康状態指標と共に表示部１１に表示される。
【０１３１】
そしてこの健康状態度通知処理は機能的にみると、図１９に示すように、ストレス度判定部１４１と、血行度判定部１４２と、肥満度判定部１４３及び健康状態度表示処理部１４４として分類することができる。
【０１３２】
（２−４−１−１）ストレス度の判定
一般に、ストレス状態では、血圧が上昇し脈拍が速くなることが知られている。従って、ストレス度判定部１４１は、記憶部３１に記憶された脈拍データＤ２２、血管幅データＤ２３及び日時データを読み出し、これらデータに基づいて、当該脈拍及び血管径が双方共に所定の閾値以上となっている継続日時を求め、この継続日時に応じてストレス度を判定するようになされている。
【０１３３】
具体的にストレス度判定部１４１は、かかる継続日時として段階的に予め設定された例えば「３日未満、３日以上１週間未満、１週間以上３週間未満、３週間以上」に対応するストレス度として、例えば「ストレスなし、軽度ストレス、中度ストレス、重度ストレス」を判定する。
【０１３４】
そしてストレス度判定部１４１は、この判定結果をデータ（以下、これをストレス度判定データと呼ぶ）Ｄ３１として記憶部３１に記憶更新すると共に、当該ストレス度判定データＤ３１を健康状態度表示処理部１４４に送出するようになされている。
【０１３５】
このようにしてストレス度判定部１４１は、ストレス度を判定することができるようになされている。
【０１３６】
（２−４−１−２）血行度の判定
一般に、血管径が小さいと血行が悪いことが知られている。従って、血行度判定部１４２は、記憶部３１に記憶された日時データ及び血管幅データＤ２３を読み出し、これらデータに基づいて、当該血管幅が所定の閾値以上となっている継続日時を求め、この継続日時に応じて血行度を判定するようになされている。
【０１３７】
具体的に血行度判定部１４２は、かかる継続日時として段階的に設定された例えば「３日未満、３日以上１週間未満、１週間以上３週間未満、３週間以上」に対応する血行度として、例えば「血行良好、軽度血行不良、中度血行不良、重度血行不良」を判定する。
【０１３８】
そして血行度判定部１４２は、この判定結果をデータ（以下、これを血行度判定データと呼ぶ）Ｄ３２として記憶部３１に記憶更新すると共に、当該血行度判定データＤ３２を健康状態度表示処理部１４４に送出するようになされている。
【０１３９】
このようにして血行度判定部１４２は、血行度を判定することができるようになされている。
【０１４０】
（２−４−１−３）肥満度の判定
一般に、体脂肪率が高いと肥満であることが知られている。従って、肥満度判定部１４３は、記憶部３１に記憶された正規ユーザ身体情報データ、身体情報正常範囲対応テーブル及び体脂肪率データＤ２１を読み出し、これらデータに基づいて、身体情報に対応する正常範囲の上限又は下限と体脂肪率との差分量を求め、この差分量に応じて肥満度を判定するようになされている。
【０１４１】
具体的に肥満度判定部１４３は、かかる差分量として段階的に設定された例えば「±３未満、−３以上、＋３以上＋５未満、＋５以上＋１０未満、＋１０以上」に対応する肥満度として、例えば「良好、やせすぎ、軽度肥満、中度肥満、重度肥満」を判定する。
【０１４２】
そして肥満度判定部１４３は、この判定結果をデータ（以下、これを肥満度判定データと呼ぶ）Ｄ３３として記憶部３１に記憶更新すると共に、当該肥満度判定データＤ３３を健康状態度表示処理部１４４に送出するようになされている。
【０１４３】
このようにして肥満度判定部１４３は、肥満度を判定することができるようになされている。
【０１４４】
（２−４−１−４）健康状態度の表示
健康状態度表示処理部１４４は、回転押圧操作部１３又は操作部１４から与えられた通知命令に対応する健康状態度（ストレス度、血行度又は肥満度）と、当該健康状態度の判定基準とした健康状態指標（体脂肪率、脈拍又は血管幅）とを表示部１１に表示するようになされている。
【０１４５】
実際上、健康状態度表示処理部１４４には、回転押圧操作部１３又は操作部１４から肥満度の通知命令に対応する判定部１４１、１４２又は１４３から判定データＤ３１、Ｄ３２又はＤ３３が供給される。従って、健康状態度表示処理部１４４は、例えば判定部１４３から肥満度判定データＤ３３が与えられた場合には、当該肥満度の判定基となった健康状態指標（体脂肪率）に対応するデータとして、体脂肪率データＤ２１、日時データ、正規ユーザ身体情報データ及び身体情報正常範囲対応テーブルを読み出す。
【０１４６】
そして健康状態度表示処理部１４４は、このとき読み出した各種データと、肥満度判定データＤ３３とに基づいて表示データＤ４０（図１０）を生成し、この表示データＤ４０に基づく例えば図２０に示す表示画面ＰＩＣ２を表示部１１を介して表示する。
【０１４７】
この表示画面ＰＩＣ２には、画面右下において肥満度を通知するための所定のアニメキャラクタ（以下、これを肥満度通知キャラと呼ぶ）ＦＣＡが、例えば図２１に示すように、肥満度判定データＤ３３の判定結果に応じた態様で表示部１１に表示されると共に、画面下方において例えば「最近、運動不足なの？」といったような肥満度の要因となる例示が問いかけ態様で要因コメントＣＣＭとして表示される。
【０１４８】
これに加えてこの表示画面ＰＩＣ２には、上述の第１の実施の形態の場合と同様にして、画面中央において正規ユーザの体脂肪率の動向が対応する体脂肪率正常範囲ＦＮＡと併せて体脂肪率グラフＦＧＦとして表示され、かつ画面上方において体脂肪率正常範囲ＦＮＡに対する正常ユーザの体脂肪率状態が体脂肪率コメントＦＣＭとして表示される。
【０１４９】
このように健康状態度表示処理部１４４は、肥満度通知キャラＦＣＡを肥満度に応じた態様で表示し、かつ肥満度の要因となる例示を表示するのみならず、当該肥満度の判定基準とした体脂肪率の動向を対応する体脂肪率正常範囲ＦＮＡと併せて体脂肪率グラフＦＧＦとして表示し、かつ正常範囲ＦＮＡに対する正常ユーザの体脂肪率状態が体脂肪率コメントＦＣＭとして表示する。
【０１５０】
従って、正規ユーザは、この肥満度通知キャラＦＣＡ、要因コメントＣＣＭ、体脂肪率グラフＦＧＦ及び体脂肪率コメントＦＣＭから自身の肥満に関する健康状態を多面的に把握することができるのみならず、当該健康状態を一見して直感的に把握することができる。また上述の第１の実施の形態の場合と同様に、体脂肪率グラフＦＧＦにプロットされる正規ユーザの体脂肪率の動向は秘匿データの送信時に取得されるものであるため、正規ユーザは、秘匿データの通信回数及び通信日時を間接的に把握することができる。
【０１５１】
なお、健康状態度表示処理部１４４は、ストレス度又は血行度についても肥満度と同様に、ストレス度又は血行度を表すための所定のアニメキャラクタをストレス度又は血行度に応じた態様で表示し、かつストレス度又は血行度の要因となる例示を表示すると共に、当該ストレス度の判定基準とした脈拍、血管幅又は血行度の判定基となった血管幅の動向を対応する正常範囲と併せてグラフとして表示し、かつ当該正常範囲に対する正常ユーザの脈拍、血管幅状態をコメントとして表示するようになされている。
【０１５２】
（２−４−２）情報取得処理
この情報取得処理では、予め設定された待機期間が経過するごとに、又は管理サーバ１０２（図１６）で管理される情報を取得する取得命令が回転押圧操作部１３又は操作部１４から与えられた場合に、記憶部３１に記憶されたストレス度データＤ３１、血行度データＤ３２及び肥満度データＤ３３と希望情報取得用キーワードデータとが送信され、これらデータに関連する健康状態関連情報を管理サーバ１０２から取得した旨が通知される。
【０１５３】
実際上、制御部１３０は、待機期間が経過したとき、又は回転押圧操作部１３又は操作部１４から取得命令を受けたとき、記憶部３１に記憶されたストレス度データＤ３１、血行度データＤ３２及び肥満度データＤ３３を読み出し、これらデータＤ３１〜Ｄ３３のうち、健康状態度の判定結果が悪いものを選択する。
【０１５４】
因みに、健康状態度の判定結果が悪いものとは、この実施の形態では、ストレス度データＤ３１が「ストレスなし」以外の内容である場合を意味し、血行度データＤ３２が「血行度良好」以外の内容である場合を意味し、肥満度データＤ３３が「良好」以外の内容である場合を意味する。なお、制御部１３０は、健康状態度の判定結果が悪いものがない場合には、その旨を表示部１１を介して通知する。
【０１５５】
そして制御部１３０は、このとき選択した例えばストレス度データＤ３１と、記憶部３１に記憶された希望情報取得用キーワードデータとを通信部３２に送出するようになされている。
【０１５６】
この状態において制御部１３０は、これらデータの応答として管理サーバ１０２から送信される健康状態関連情報を通信部３２を介して受けると、これを記憶部３１に記憶すると共に、当該健康状態関連情報を、例えば「面白いサイトを見つけました。息抜きにいかが？」（図１７）といったように健康状態度の解消を促すコメントと併せて表示画面として通知するようになされている。
【０１５７】
このように制御部１３０は、正規ユーザにおける健康状態度及び正規ユーザの意図が反映された健康状態度対応情報（図１７）を、自動的に又はユーザの希望時に取得し、当該取得結果を健康状態度の解消を促す態様で通知することができるようになされている。
【０１５８】
（２−５）管理サーバの構成
次に、管理サーバ１０２の構成について説明する。この管理サーバ１０２は、図２２に示すように、当該管理サーバ１０２全体の制御を司る制御部１５０に対して、操作部１５１と、通信部３２と同一構成の通信部１５２と、各種健康関連情報が登録されたデータベースＤＢとがそれぞれ接続されることにより構成される。
【０１５９】
このデータベースＤＢには、「食事」、「運動」、「レジャー」、「その他」の観点により健康を属性（以下、これを健康属性と呼ぶ）として分類し、これら健康属性に対応付けて、当該健康属性に該当する内容を一部又は全部に含むホームページのＵＲＬ(Uniform Resource Locator)が健康関連情報として記憶されている。なお、「その他」の属性については、操作部１５１から新たな属性として拡張又は変更することができるようになされている。
【０１６０】
またこれらＵＲＬのデータ（健康関連情報）には、検索用としてホームページの内容が付加されると共に、当該内容に応じてストレス度（ストレスなし、軽度ストレス、中度ストレス又は重度ストレスのいずれか）、血行度（血行良好、軽度血行不良、中度血行不良又は重度血行不良のいずれか）及び肥満度（良好、やせすぎ、軽度肥満、中度肥満又は重度肥満のいずれか）を表すタグ（以下、これを健康状態度タグと呼ぶ）が付加されている。
【０１６１】
ここで、具体例を挙げてみると、旅行を内容とするホームページのＵＲＬは「レジャー」の健康属性としてデータベースＤＢに記憶され、当該ＵＲＬには、ホームページの内容との密接関係の度合い等のように予め定められた所定のルールに従って、例えば軽度ストレスを表す健康状態度タグが付加される。また、スポーツジムを内容とするホームページのＵＲＬのデータは「運動」の健康属性としてデータベースＤＢに記憶され、当該ＵＲＬのデータには、予め定められた所定のルールに従って、例えば中度ストレス、中度血行不良及び重度肥満を表す健康状態度タグがそれぞれ付加される。
【０１６２】
制御部１５０は、ＣＰＵ、ＲＯＭ、ＲＡＭ、クロック発生器及びタイマ（内蔵時計）を有し、当該クロック発生器から発生されるクロックに従って通信部１５２及びデータベースＤＢを適宜制御する。
【０１６３】
そして制御部１５０は、所定の検索処理を定期的に実行するようにしてデータベースＤＢに登録された内容を適宜更新するようになされている。
【０１６４】
この実施の形態では、制御部１５０は、通信部１５２を介して携帯電話機１０１から送信されるストレス度データＤ３１、血行度データＤ３２又は肥満度データＤ３３と、希望情報取得用キーワードデータとを受けると、当該希望情報取得用キーワードデータに基づく希望情報取得用キーワードと同一又はこれを含む健康関連情報を検索する。
【０１６５】
そして制御部１５０は、このとき検索した健康関連情報のうち、ストレス度データＤ３１、血行度データＤ３２又は肥満度データＤ３３の内容に対応する健康状態度タグが付加された健康関連情報を選択し、この健康関連情報を健康状態度対応情報として通信部１５２を介して携帯電話機１０１に送信するようになされている。
【０１６６】
このようにして制御部１５０は、データベースＤＢに登録された健康関連情報のなかから、ストレス度データＤ３１、血行度データＤ３２又は肥満度データＤ３３と、希望情報取得用キーワードデータとに基づく健康状態度対応情報を携帯電話機１０１に送信することにより、正規ユーザにおける健康状態度及び正規ユーザの意図が反映された健康状態度対応情報（図１７）を提供することができるようになされている。
【０１６７】
（２−６）動作及び効果
以上の構成において、この携帯電話機１０１は、上述の実施の形態と同様にして検出した健康状態指標（脈拍及び血管幅）の時間変化に基づいて健康状態度（ストレス度及び血行度）を判定すると共に、当該健康状態指標（体脂肪率）の対応する正常範囲との比較に基づいて健康状態度（肥満度）を判定し、この判定結果を表示部１１に表示する。
【０１６８】
従って、この携帯電話機１０１では、血管画像に占める血管部分だけに着目した健康状態指標を検出できるため、実際の血管径（体積）の状態に反映された健康状態指標から判定した正確性の高い健康状態の度合いを通知することができる。
【０１６９】
またこの携帯電話機１０１と、健康関連情報を管理する管理サーバ１０２とによって構成される情報提供システム１００では、携帯電話機１０１は、かかる健康状態指標に基づいて判定した健康状態度と、希望情報取得用キーワードとを所定周期で管理サーバ１０２に送信する。
【０１７０】
そして管理サーバ１０２は、健康状態度及び希望情報取得用キーワードに基づいて健康状態度対応情報を選択し、これを携帯電話機１０１に返信し、当該健康状態度対応情報が携帯電話機１０１の表示部１１を介して通知される。
【０１７１】
従って、この情報提供システム１００では、ユーザの健康状態度に応じた解消策を、当該ユーザ自らが積極的に取捨選別することなく、健康状態度対応情報として入手することができる。
【０１７２】
以上の構成によれば、健康状態指標（体脂肪率、脈拍及び血管幅）の対応する正常範囲との比較又は時間変化に基づいて健康状態度（肥満度、ストレス度及び血行度）を判定し、この判定結果を表示部１１に表示するようにしたことにより、血管画像に占める血管部分だけに着目した健康状態指標を検出できるため、実際の血管径（体積）の状態に反映された健康状態指標から判定した正確性の高い健康状態の度合いを通知することができ、かくして信頼性を向上することができる。
【０１７３】
（３）他の実施の形態
上述の実施の形態においては、血管を撮像する撮像手段として、図５に示した構成の血管撮像部２０を適用するようにした場合について述べたが、本発明はこれに限らず、筺体側から近赤外光を生体に照射し、当該生体の内方で散乱することにより得られる近赤外光（血管投影光）を対象とするこの他種々の構成の撮像部を適用することができる。
【０１７４】
例えば血管撮像部２０におけるＣＣＤ２６をＣＭＯＳ(Complementary Metal Oxide Semiconductor)等の撮像素子に代替してなる撮像部、あるいは血管撮像部２０における光学系を他のものに代替してなる撮像部を適用することができる。
【０１７５】
また例えば図５との対応部分に同一符号を付した図２３に示す撮像装置２００を適用することもできる。この撮像装置２００においては、撮像開口部２２上に配置された指表面から近赤外光光源２４（２４Ａ及び２４Ｂ）までにわたる近赤外光の照射光路を覆う遮蔽部２０１（２０１Ａ及び２０１Ｂ）と、指ＦＧを撮像開口部２２上にガイドするガイド溝２０２（２０２Ａ及び２０２Ｂ）を新たに設けた点で、血管撮像装置２０（図５）とは相違する。
【０１７６】
この撮像装置２００を適用すれば、血管撮像部２０に比して大型化する反面、光源駆動部４１及びＣＣＤ駆動部４２による撮像状態制御処理（図７）を実行することなく、通常光に基づくノイズ成分を低減することができるため、当該処理負荷を低減することができるといった利点と、ユーザが意識的に蓋部２３に指ＦＧを圧着しなくても簡易的に固定できるため、血管撮像時における指ＦＧのぶれを低減することができるといった利点とがある。
【０１７７】
またかかる血管の撮像部位（認証対象部位）として、人差指ＦＧを撮像するようにした場合について述べたが、本発明はこれに限らず、当該人差指ＦＧ以外の指あるいは掌を撮像するようにしても良い。
【０１７８】
またかかる撮像手段（血管撮像部２０）の搭載対象として、携帯電話機１、１０１における第２筺体３の上端側面を適用するようにした場合について述べたが、本発明はこれに限らず、例えば図２４に示すように、第１筺体２においてスピーカ１２が設けられた面に対して反対面の第２筺体３側を適用する等、この携帯電話機１、１０１におけるこの他種々の位置を適用ようにしても良く、また携帯電話機に代えて例えばＰＤＡ(Personal Digital Assistants)、ノート型のパーソナルコンピュータ、又は可搬型の家庭用電子機器等、この他種々の可搬型情報端末装置を適用するようにしても良い。この場合、特に、血管の撮像部位及び可搬型情報端末装置の外観構成（筺体の形状）等に応じて、当該可搬型情報端末装置を把持した手の指の自由空間内を撮像手段（血管撮像部２０）の搭載位置として選定すれば、上述の実施の形態と同様に、指を厳密に固定するといった極度の負担をユーザに強要することなく血管を撮像することができる。
【０１７９】
また上述の実施の形態においては、撮像手段により撮像された画像に有する血管を抽出する血管抽出手段として、メディアンフィルタ処理及びラプラシアン処理を順次施す血管抽出部５２（図１０）を適用するようにした場合について述べたが、本発明はこれに限らず、当該処理以外の処理を施す血管抽出部を適用するようにしても良い。
【０１８０】
この場合、かかる血管の抽出を制御部３０、１３０で行うようにしたが、専用の検出部を設けるようにしても良い。
【０１８１】
さらに上述の実施の形態においては、血管抽出手段により抽出された血管に基づいて生体における健康状態指標を検出する健康状態指標検出手段として、体脂肪率、脈拍及び血管幅を検出するようにした場合について述べたが、本発明はこれに限らず、これら体脂肪率、脈拍及び血管幅を取捨選択するようにしても良く、またこれら以外の事項を加えるようにしても良い。
【０１８２】
この場合、これら健康状態指標の検出を制御部３０、１３０で行うようにしたが、専用の検出部を設けるようにしても良い。
【０１８３】
またかかる体脂肪率を検出する手法として、血管データＤ１２の輝度状態と、体脂肪量との関係を統計的に分析した結果が反映された体脂肪量血管輝度状態対応テーブルに基づいて体脂肪率を検出するようにした場合について述べたが、本発明はこれに限らず、当該分析結果から導出される関係式に従って体脂肪率を検出する等、血管画像における血管の輝度状態に基づいてこの他種々の手法により体脂肪率を検出することができる。
【０１８４】
またかかる脈拍を検出する手法として、血管データＤ１２の面積の時間変化に基づいて脈拍を検出するようにした場合について述べたが、本発明はこれに限らず、血管データＤ１２の輝度状態における時間変化に基づいて脈拍を検出する等、血管画像における血管に基づいてこの他種々の手法により脈拍を検出することができる。
【０１８５】
この場合、特に、不整脈があることを検出した場合には、一般的に重度の心疾患や代謝異常が認められる場合が多いため、早期に医療機関に出向くべき旨を警告するようにしても良い。
【０１８６】
またかかる血管幅を検出する手法として、血管データＤ１２に基づく血管の対応する分岐点画素Ｂ４、Ｂ５（図１１）同士の最短距離に基づいて血管幅を検出するようにした場合について述べたが、本発明はこれに限らず、図１２にも示したように、血管のうち独立した一本の血管における輝度状態に基づいて血管幅を検出する等、血管画像における血管に基づいてこの他種々の手法により血管幅を検出することができる。
【０１８７】
また、記憶部３１に記憶される秘匿データを送信する操作に対応する送信命令を受けた際に、血管認証処理における一部の処理と並列的に健康状態指標を検出するようにした場合について述べたが、本発明はこれに限らず、当該健康状態指標を検出する操作に対応する命令に応じて、血管認証処理にかかわらず独立的に健康状態指標を検出するようにしても良い。
【０１８８】
なお、上述の実施の形態においては、血管画像における血管に基づいて健康状態指標を検出するようにした場合について述べたが、本発明はこれに加えて、例えばスピーカ１２から放音した時点と、マイクロフォン１５から受音した時点での所定音の速度及びレベルに基づいて骨密度を検出するようにしても良い。
【０１８９】
さらに上述の実施の形態においては、健康状態判断指標及び又は健康状態度を通知する通知手段として、正規ユーザの健康状態指標の動向を対応する健康状態指標の正常範囲と併せてグラフとして表示し、かつ正常範囲に対する正常ユーザの健康状態指標の状態をコメントとして表示すると共に、健康状態度を表すための所定のアニメキャラクタを健康状態度に応じた態様で表示し、かつ健康状態度の要因となる例示を表示するようにした場合について述べたが、本発明はこれに限らず、当該表示内容の全部又は一部を音声として出力するようにしても良い。
【０１９０】
また、２種類（例えば体脂肪率、脈拍）以上の健康状態判断指標及び又は２種類（例えばストレス度、血行度）以上の健康状態度を表示するようにしても良く、この場合、色分けして表示することもできる。
【０１９１】
さらに上述の実施の形態においては、健康状態指標の時間変化との比較に基づいて、生体における健康状態の度合いを判定する健康状態判定手段として、ストレス度、血行度及び肥満度を判定するようにした場合について述べたが、本発明はこれに限らず、これらストレス度、血行度及び肥満度を取捨選択するようにしても良く、またこれら以外の事項を加えるようにしても良い。
【０１９２】
この場合、これら健康状態度の判定を制御部３０、１３０で行うようにしたが、専用の判定部を設けるようにしても良い。またかかるストレス度、血行度及び肥満度を判定する具体的手法としてはこの他種々の手法を採用することができる。
【０１９３】
さらに上述の実施の形態においては、携帯電話機１０１において健康状態度と、希望情報取得用キーワードとを管理サーバに送信するようにした場合について述べたが、本発明はこれに加えて、当該希望情報取得用キーワードの入力時に友人のメールアドレスを入力するようにし、このとき入力されたメールアドレスに対して、健康状態度が改悪するごとに当該改悪の改善策として「○○です。食事にでも連れて行ってあげてください。」といったような誘いを内容とする電子メールを送信するようにしても良い。
【０１９４】
さらに上述の実施の形態においては、管理サーバ１０２において健康状態度と、希望情報取得用キーワードとに基づいて選択した健康状態度対応情報を送信するようにした場合について述べたが、本発明はこれに加えて、当該健康状態度対応情報以外の情報を送信するようにしても良い。
【０１９５】
例えば、管理サーバ１０２において、新規の携帯電話機１０１がアクセスするときユーザ名等を入力させるようにして、当該管理サーバ１０２にアクセスする携帯電話機１０１を有するユーザと、当該ユーザの健康状態度に応じた点数とを管理しておくようにする。そして管理サーバ１０２は、これら携帯電話機１０１が送信した健康状態度と、希望情報取得用キーワードとを受信するごとに、当該携帯電話機１０１に健康状態度対応情報を送信すると共に、このとき送信された健康状態度に対応する点数と他人の点数状況とを送信する。このようにすれば、各携帯電話機１０１を有する個々のユーザの競争心に起因して、これらユーザ全体としての健康増進を期待することができる。
【０１９６】
さらに上述の実施の形態においては、血管部分から認証情報を抽出し、当該抽出した認証情報に基づいて認証する認証手段として、血管データＤ１２に基づく血管から検出した分岐点画素Ｂ１〜Ｂ１１の組み合わせを認証情報として抽出するようにした場合について述べたが、本発明はこれに限らず、当該血管の輪郭等を認証情報として抽出するようにしても良く、当該血管の全部を認証情報として抽出するようにしても良い。
【０１９７】
さらに上述の実施の形態においては、健康状態の自己管理を補助する可搬型情報端末装置として、携帯電話機１、１０１を適用するようにした場合について述べたが、本発明はこれに限らず、ＰＤＡ、ノート型のパーソナルコンピュータ、又は可搬型の家庭用電子機器等、この他種々の可搬型装置を健康状態の自己管理を補助するものとして幅広く適用することができる。
【０１９８】
さらに上述の実施の形態においては、健康状態の自己管理を補助する可搬型情報端末装置と、健康を内容とする情報を管理する管理サーバとが通信路を介して接続されることにより構成される情報提供システムとして、携帯電話機１０１と、情報管理サーバ１０２とが基地局（図示せず）を介して無線接続されることにより構成される情報提供システムを適用するようにした場合について述べたが、本発明はこれに限らず、可搬型情報端末装置と、情報管理サーバ１０２との間を種々の接続形態により接続されることにより構成される情報提供システムに幅広く適用することができる。
【産業上の利用可能性】
【０１９９】
本発明は、生体の血管の特徴を認証対象として認証する場合に利用可能である。
【図面の簡単な説明】
【０２００】
【図１】携帯電話機の外観構成を示す略線図である。
【図２】閉状態の携帯電話機（１）を示す略線図である。
【図３】閉状態の携帯電話機（２）を示す略線図である。
【図４】携帯電話機の使用状態例を示す略線図である。
【図５】血管撮像部の構成を示す略線図である。
【図６】携帯電話機の内部構成（１）を示すブロック図である。
【図７】制御部による撮像状態制御処理を示す機能ブロック図である。
【図８】ＣＣＤの駆動制御の説明に供する略線図である。
【図９】ＣＣＤにおける撮像感度を示す略線図である。
【図１０】制御部による血管認証処理及び健康状態指標検出処理を示す機能ブロック図である。
【図１１】分岐点画素の検出の説明に供する略線図である。
【図１２】体脂肪量に応じた輝度ヒストグラムを示す略線図である。
【図１３】中間ピーク幅の説明に供する略線図である。
【図１４】健康状態指標（脈拍）の表示例を示す略線図である。
【図１５】健康状態指標管理処理手順を示すフローチャートである。
【図１６】情報提供システムの構成を示す略線図である。
【図１７】健康状態度及びユーザの意図に応じた情報提供の説明に供する略線図である。
【図１８】携帯電話機の内部構成（２）を示すブロック図である。
【図１９】制御部による健康状態度通知処理を示す機能ブロック図である。
【図２０】健康状態指標及び健康状態度の表示例を示す略線図である。
【図２１】肥満度通知キャラの表示態様例を示す略線図である。
【図２２】管理サーバの構成を示すブロック図である。
【図２３】他の実施の形態による血管撮像部の構成を示す略線図である。
【図２４】他の実施の形態による血管撮像部の配置位置の説明に供する略線図である。
【符号の説明】
【０２０１】
１、１０１……携帯電話機、２……第１筺体、３……第２筺体、４……回転軸部、１１……表示部、１３……回転押圧操作部、１４、１５１……操作部、２０……血管撮像部、２１……ＣＣＤカメラ、２４Ａ、２４Ｂ……近赤外光光源、２５……近赤外光透過レンズ、２６……ＣＣＤ、２７……偏光板、３０、１３０、１５０……制御部、３１……記憶部、３２、１５２……通信部、４１……光源駆動部、４２……ＣＣＤ駆動部、５１……Ａ／Ｄ変換部、５２……血管抽出部、５３……認証部、６１……体脂肪率検出部、６２……脈拍検出部、６３……血管幅検出部、６４……健康状態指標記憶処理部、１００……情報提供システム、１０２……管理サーバ、１４１……ストレス度判定部、１４２……血行度判定部、１４３……肥満度判定部、１４４……健康状態度表示処理部、Ｂ（Ｂ１〜Ｂ１１）……分岐点画素、Ｄ１１（Ｄ１１１〜Ｄ１１ｎ）……血管画像データ、Ｄ１２（Ｄ１２１〜Ｄ１２ｎ）……血管データ、Ｄ２１……体脂肪率データ、Ｄ２２……脈拍データ、Ｄ２３……血管幅データ、Ｄ２４Ａ……記憶不許可命令、Ｄ２４Ｂ……記憶許可命令、ＤＢ……データベース、Ｓ２……電荷読出信号、Ｓ３……電荷リセット信号、Ｓ１０……血管画像信号、ＰＩＣ１、ＰＩＣ２……表示画面、ＰＧＦ……脈拍グラフ、ＦＧＦ……体脂肪率グラフ、ＣＣＭ……要因コメント、ＰＣＭ……脈拍コメント、ＦＣＭ……体脂肪率コメント、ＰＮＡ……脈拍正常範囲、ＦＮＡ……体脂肪率正常範囲、ＦＣＡ……肥満度通知キャラ、ＲＴ１……健康状態指標管理処理手順。
【図１】
2006051279.tif 000003
【図２】
2006051279.tif 000004
【図３】
2006051279.tif 000005
【図４】
2006051279.tif 000006
【図５】
2006051279.tif 000007
【図６】
2006051279.tif 000008
【図７】
2006051279.tif 000009
【図８】
2006051279.tif 000010
【図９】
2006051279.tif 000011
【図１０】
2006051279.tif 000012
【図１１】
2006051279.tif 000013
【図１３】
2006051279.tif 000014
【図１４】
2006051279.tif 000015
【図１５】
2006051279.tif 000016
【図１６】
2006051279.tif 000017
【図１７】
2006051279.tif 000018
【図１８】
2006051279.tif 000019
【図１９】
2006051279.tif 000020
【図２０】
2006051279.tif 000021
【図２１】
2006051279.tif 000022
【図２２】
2006051279.tif 000023
【図２３】
2006051279.tif 000024
【図２４】
2006051279.tif 000025
【図１２】
2006051279.tif 000026